(57)【特許請求の範囲】
【請求項１】
患者に対する検査オーダを受け付けるオーダ受付部と、
特定の患者に対する検査オーダに含まれる複数の検査項目を示す画面を表示するための表示部と、
前記複数の検査項目を分類表示するための第１表示形式および第２表示形式からいずれかの表示形式の選択を受け付ける選択受付部と、
前記選択受付部が前記第１表示形式の選択を受け付けた場合には、第１の基準に基づき前記複数の検査項目を分類表示する画面を前記表示部に表示させ、前記選択受付部が前記第２表示形式の選択を受け付けた場合には、第２の基準に基づき前記複数の検査項目を分類表示する画面を前記表示部に表示させる表示制御部と、を備え、
前記第１の基準は、検査を実施する検査部門の種類であり、前記第１表示形式は、前記複数の検査項目を、検査部門の種類別に分類表示する表示形式、又は前記第１の基準は、検査を実施する検査装置の種類であり、前記第１表示形式は、前記複数の検査項目を、検査装置の種類別に分類表示する表示形式であり、
前記第２の基準は、検体容器を識別する識別番号であり、前記第２表示形式は、前記複数の検査項目を、検体容器の識別番号別に分類表示する表示形式である、検査情報システム。
【請求項２】
前記選択受付部は、前記第１の基準に基づき前記複数の検査項目を分類表示する画面が前記表示部に表示されているときに、前記第２表示形式の選択を受け付け可能であり、
前記表示制御部は、前記選択受付部が前記第２表示形式の選択を受け付けると、前記第２の基準に基づき前記複数の検査項目を分類表示する画面を前記表示部に表示させる、請求項１に記載の検査情報システム。
【請求項３】
前記検査部門は、生化学検査部門、血液検査部門、血液凝固検査部門、免疫検査部門、及び尿検査部門のいずれかを含む、請求項１または２に記載の検査情報システム。
【請求項４】
前記検査装置は、生化学分析装置、血球分析装置、血液凝固測定装置、免疫分析装置、及び尿分析装置のいずれかを含む、請求項１または２に記載の検査情報システム。
【請求項５】
前記表示制御部は、緊急に検査を行うことが必要である検査項目を識別可能に、前記複数の検査項目を示す画面を前記表示部に表示させる、請求項１〜４のいずれか１項に記載の検査情報システム。
【請求項６】
前記表示制御部は、前記複数の検査項目が表示される検査項目表示領域と、検査項目の入力を行うための検査項目入力領域とを含む画面を前記表示部に表示させ、
前記オーダ受付部は、前記検査項目入力領域で入力された検査項目を受け付ける、請求項１〜５のいずれか１項に記載の検査情報システム。
【請求項７】
前記表示制御部は、前記第１の基準に基づき前記複数の検査項目を前記画面内の所定領域に分類表示させ、前記選択受付部が前記第２表示形式の選択を受け付けると、前記第１の基準に基づいて分類表示された前記複数の検査項目に切り替えて、前記第２の基準に基づき前記複数の検査項目を前記所定領域に分類表示させる、請求項２に記載の検査情報システム。
【請求項８】
前記画面は、前記第１および第２表示形式にそれぞれ対応した第１および第２タブを含み、
前記選択受付部は、前記第１および第２タブの一方をユーザが選択することによって、前記表示形式の選択を受け付ける、請求項７に記載の検査情報システム。
【請求項９】
前記オーダ受付部が受け付けた前記検査オーダを受信し、当該検査オーダに含まれる前記複数の検査項目に応じて患者の検体を検査し、取得した検査結果を送信する複数の検査装置と、
前記複数の検査装置から送信された検査結果を受信する管理装置と、をさらに備える請求項１〜８のいずれかに記載の検査情報システム。
【請求項１０】
表示部に接続されたコンピュータを、
患者に対する検査オーダを取得するオーダ取得手段、
特定の患者に対する検査オーダに含まれる複数の検査項目を分類表示するための第１表示形式および第２表示形式からいずれかの表示形式の選択を受け付ける選択受付手段、及び、
前記選択受付手段により前記第１表示形式の選択が受け付けられた場合には、第１の基準で前記複数の検査項目を分類表示する画面を前記表示部に表示させ、前記選択受付手段により前記第２表示形式の選択が受け付けられた場合には、第２の基準で前記複数の検査項目を分類表示する画面を前記表示部に表示させる表示制御手段、として機能させるためのものであり、
前記第１の基準は、検査を実施する検査部門の種類であり、前記第１表示形式は、前記複数の検査項目を、検査部門の種類別に分類表示する表示形式、又は前記第１の基準は、検査を実施する検査装置の種類であり、前記第１表示形式は、前記複数の検査項目を、検査装置の種類別に分類表示する表示形式であり、
前記第２の基準は、検体容器を識別する識別番号であり、前記第２表示形式は、前記複数の検査項目を、検体容器の識別番号別に分類表示する表示形式であるコンピュータプログラム。
【発明の詳細な説明】
【技術分野】
【０００１】
本発明は、検査装置で行われる検査の情報を管理するための検査情報システム、及び、この検査情報システムに用いることができるコンピュータプログラムに関する。
【背景技術】
【０００２】
病院や検査機関等の医療機関においては、医師による検体検査の依頼から分析装置による検査の結果報告までをコンピュータを用いて管理する検査システムが導入されている。この検査システムでは、医師により患者の検体検査の依頼が行われると、検体の検査項目を含むオーダ情報がデータ管理装置に入力され、検体の検査項目に応じて検査技師が検体容器を該当する検査部門に搬送し、データ管理装置に入力されたオーダ情報に基づいて分析装置により検体の検査が行われ、その検査結果がデータ管理装置に記憶されて医師への報告が行われる。
【０００３】
下記特許文献１には、各検査室に配置されている複数の分析装置や複数のデータ管理装置を接続してデータの一元管理を可能とする検査システムが開示されている。この検査システムにおいて、各検査室のデータ管理装置の画面には、オーダ情報や検体情報等の各種情報が表示されるようになっている。
【先行技術文献】
【特許文献】
【０００４】
【特許文献１】特開平１１−１４２４１１号公報
【発明の概要】
【発明が解決しようとする課題】
【０００５】
上述のような検査システムにおいて、検査技師等のユーザは、画面に表示されたオーダ情報を参照し、検査項目の入力チェックや追加・修正、検査に供されるべき検体容器の本数確認、各検体容器を使用する分析装置の種類確認等、種々の検査業務を行っている。
【０００６】
しかしながら、画面に表示されたオーダ情報から所望の情報を得るためには、ある程度の慣れや熟練を要する場合があった。そのため、検査業務の熟練度に関わらず、どのようなユーザであっても表示画面を見て円滑に検査業務を遂行できるようにすることが望まれる。
また、上記特許文献１に記載の検査システムにおいては、検体のオーダ情報をどのように画面に表示するかについては一切考慮されていない。
【０００７】
本発明は、以上のような実情に鑑みてなされたものであり、表示部に表示された検査項目に関する情報を利用してユーザが検査業務を円滑に行い得る検査情報システムおよびこれに用いられるコンピュータプログラムを提供する。
【課題を解決するための手段】
【０００８】
（１）本発明の検査情報システムは、患者に対する検査オーダを受け付けるオーダ受付部と、特定の患者に対する検査オーダに含まれる複数の検査項目を示す画面を表示するための表示部と、前記複数の検査項目を分類表示するための第１表示形式および第２表示形式からいずれかの表示形式の選択を受け付ける選択受付部と、前記選択受付部が前記第１表示形式の選択を受け付けた場合には、第１の基準に基づき前記複数の検査項目を分類表示する画面を前記表示部に表示させ、前記選択受付部が前記第２表示形式の選択を受け付けた場合には、第２の基準に基づき前記複数の検査項目を分類表示する画面を前記表示部に表示させる表示制御部と、を備え、前記第１の基準は、検査を実施する検査部門の種類であり、前記第１表示形式は、前記複数の検査項目を、検査部門の種類別に分類表示する表示形式、又は前記第１の基準は、検査を実施する検査装置の種類であり、前記第１表示形式は、前記複数の検査項目を、検査装置の種類別に分類表示する表示形式であり、前記第２の基準は、検体容器を識別する識別番号であり、前記第２表示形式は、前記複数の検査項目を、検体容器の識別番号別に分類表示する表示形式であることを特徴としている。
【０００９】
この検査情報システムでは、第１および第２表示形式のなかから検査技師等のユーザが選択した表示形式で検査オーダに含まれる複数の検査項目を表示部に分類表示させることができる。したがって、ユーザは、自身が行おうとしている検査業務に適した表示形式を適宜選択することによって、円滑に検査業務を遂行することが可能となる。
【００１０】
なお、「オーダ受付部」は、検査情報システムを構成するコンピュータ等の機器に対してユーザが直接入力した検査オーダを受け付ける構成であってもよいし、他の機器に入力され、当該他の機器から通信回線を介して送信された検査オーダを受信することによって受け付ける構成であってもよい。
前記第１の基準が、検査を実施する検査部門の種類であり、前記第１表示形式が、前記複数の検査項目を、検査部門の種類別に分類表示する表示形式である場合、ユーザが表示部に表示された画面を見ることで、どの検査項目の検査がどの検査部門で実施されるのかを容易に把握することができる。そのため、例えば、検査項目の追加や修正を行う場合に、その旨をどの部門に対して連絡をすればよいかを容易に知ることができる。
なお、上記「検査部門」は、検査の種類や検体の種類等に応じて分類された部門、又は検査の種類や検査の緊急性等に応じて施設内で組織的に編成された部門とすることができ、検査情報システムを利用する医療機関等において任意に設定することが可能である。
前記第１の基準が、検査を実施する検査装置の種類であり、前記第１表示形式が、前記複数の検査項目を、検査装置の種類別に分類表示する表示形式である場合、ユーザが表示部に表示された画面を見ることで、どの検査項目の検査がどの検査装置で実施されるのかを容易に把握することができる。
前記第２の基準は、検体容器を識別する識別番号であり、前記第２表示形式は、前記複数の検査項目を、検体容器の識別番号別に分類表示する表示形式であるため、ユーザが表示部に表示された画面を見ることで、検査に使用される検体容器の本数や、検体容器内の検体について実施される検査項目を容易に把握することができる。
【００１１】
（２）前記選択受付部は、前記第１の基準に基づき前記複数の検査項目を分類表示する画面が前記表示部に表示されているときに、前記第２表示形式の選択を受け付け可能であり、前記表示制御部は、前記選択受付部が前記第２表示形式の選択を受け付けると、前記第２の基準に基づき前記複数の検査項目を分類表示する画面を前記表示部に表示させるものであってもよい。
【００１２】
この構成によれば、一の表示形式で検査項目が表示されているときに、他の表示形式の選択を行うことで当該他の表示形式で検査項目を画面に表示することができる。そのため、ユーザは、種々の検査業務を行う度に、各検査業務に適した表示形式で複数の検査項目を分類表示することができる。
【００１４】
（３）前記検査部門は、生化学検査部門、血液検査部門、血液凝固検査部門、免疫検査部門、及び尿検査部門のいずれかを含むことができる。
ここで、生化学検査部門とは、血液検体の総蛋白量や臓器機能の指標である酵素活性等を測定する検査を行う検査部門をいう。血液検査部門とは、血液検体中の赤血球数・白血球数・血小板数やヘモグロビン濃度等の検査を行う検査部門をいう。血液凝固検査部門とは、血液検体に対して凝固機能の検査を行う検査部門をいう。免疫検査部門とは、血液検体を用いてＢ型肝炎、Ｃ型肝炎、腫瘍マーカおよび甲状腺ホルモン等の項目の検査を行う検査部門をいう。尿検査部門とは、尿検体に対して、蛋白質、糖、赤血球の有無を判定する尿定性検査や、赤血球、白血球、上皮細胞、円柱、細菌を測定する尿沈渣検査を行う検査部門をいう。なお、血液検体としては、全血、血清、血漿等を用いることができる。
【００１６】
（４）前記検査装置は、生化学分析装置、血球分析装置、血液凝固測定装置、免疫分析装置、及び尿分析装置のいずれかを含むことができる。
ここで、生化学分析装置とは、血液検体の総蛋白量や臓器機能の指標である酵素活性等を測定する装置をいう。血球分析装置とは、血液検体中の赤血球数・白血球数・血小板数やヘモグロビン濃度等の測定を行う装置をいう。血液凝固測定装置とは、血液検体に対して凝固機能の測定を行う装置をいう。免疫分析装置とは、血液検体を用いてＢ型肝炎、Ｃ型肝炎、腫瘍マーカおよび甲状腺ホルモン等の項目を検査する装置をいう。尿分析装置とは、尿検体に対して蛋白質、糖、赤血球の有無を判定する尿定性検査を行うための装置、又は、赤血球、白血球、上皮細胞、円柱、細菌を測定する尿沈渣検査を行うための装置をいう。なお、血液検体としては、全血、血清、血漿等を用いることができる。
【００１８】
（５）前記表示制御部は、緊急に検査を行うことが必要である検査項目を識別可能に、前記複数の検査項目を示す画面を前記表示部に表示させるものであってもよい。
このような構成によって、ユーザは、緊急に検査する必要がある検査項目を容易に識別し、必要な対応を迅速に行うことができる。
【００１９】
（６）前記表示制御部は、前記複数の検査項目が表示される検査項目表示領域と、検査項目の入力を行うための検査項目入力領域とを含む画面を前記表示部に表示させ、前記オーダ受付部は、前記検査項目入力領域で入力された検査項目を受け付けるものであってもよい。
この構成によれば、検査項目が表示される画面と同一の画面上で検査項目の入力を行うことができるため、既に入力された検査項目を確認しながら新たな検査項目の追加を行うことができ、検査業務におけるユーザの操作性を向上させることができる。
【００２０】
（７）前記表示制御部は、前記第１の基準に基づき前記複数の検査項目を前記画面内の所定領域に分類表示させ、前記選択受付部が前記第２表示形式の選択を受け付けると、前記第１の基準に基づいて分類表示された前記複数の検査項目に切り替えて、前記第２の基準に基づき前記複数の検査項目を前記所定領域に分類表示させるものであってもよい。
このような構成によって、検査項目を表示するための表示面積を抑制することができ、表示部に表示された画面を他の情報の表示にも有効に活用することができる。
【００２１】
（８）前記画面は、前記第１および第２表示形式にそれぞれ対応した第１および第２タブを含み、前記選択受付部は、前記第１および第２タブの一方をユーザが選択することによって、前記表示形式の選択を受け付けるものであってもよい。
このような構成によって、ユーザは容易に表示形式を切り替えることができる。
【００２２】
（９）本発明の検査情報システムは、前記オーダ受付部が受け付けた前記検査オーダを受信し、当該検査オーダに含まれる前記複数の検査項目に応じて患者の検体を検査し、取得した検査結果を送信する複数の検査装置と、前記複数の検査装置から送信された検査結果を受信する管理装置と、をさらに備えていることが好ましい。
【００２３】
（１０）本発明に係るコンピュータプログラムは、表示部に接続されたコンピュータを、患者に対する検査オーダを取得するオーダ取得手段、特定の患者に対する検査オーダに含まれる複数の検査項目を分類表示するための第１表示形式および第２表示形式からいずれかの表示形式の選択を受け付ける選択受付手段、及び、前記選択受付手段により前記第１表示形式の選択が受け付けられた場合には、第１の基準で前記複数の検査項目を分類表示する画面を前記表示部に表示させ、前記選択受付手段により前記第２表示形式の選択が受け付けられた場合には、第２の基準で前記複数の検査項目を分類表示する画面を前記表示部に表示させる表示制御手段、として機能させるためのものであり、前記第１の基準は、検査を実施する検査部門の種類であり、前記第１表示形式は、前記複数の検査項目を、検査部門の種類別に分類表示する表示形式、又は前記第１の基準は、検査を実施する検査装置の種類であり、前記第１表示形式は、前記複数の検査項目を、検査装置の種類別に分類表示する表示形式であり、前記第２の基準は、検体容器を識別する識別番号であり、前記第２表示形式は、前記複数の検査項目を、検体容器の識別番号別に分類表示する表示形式であることを特徴としている。
【発明の効果】
【００２４】
本発明によれば、表示部に表示された検査項目に関する情報を利用して、ユーザが検査業務を円滑に行うことができる。
【図面の簡単な説明】
【００２５】
【図１】本発明の実施の形態に係る検体情報システムの全体構成を示す概略図である。
【図２】サーバ管理装置のハードウェア構成を示す図である。
【図３】サーバ管理装置の機能構成を示す図である。
【図４】検査項目の表示領域を含むオーダ登録画面を示す図である。
【図５】検査項目の表示領域についての他の表示形式を示す図である。
【図６】検査項目の表示領域についてのさらに他の表示形式を示す図である。
【図７】検査項目の修正操作画面を示す図である。
【図８】検査項目についての設定情報のデータ構造を示すテーブルである。
【図９】検体容器の一例を示す斜視図である。
【図１０】サーバ管理装置の処理手順を示すフローチャートである。
【図１１】サーバ管理装置における画面操作処理の手順を示すフローチャートである。
【発明を実施するための形態】
【００２６】
図１は、本発明の実施の形態に係る検査情報システムの全体構成を示す概略図である。
本実施の形態における検査情報システム（分析システム）１は、病院の検査室等に設置され、検体の分析を行う分析装置（検査装置）３と、検査の情報や分析装置３を管理する管理システム２と、検査オーダの登録を受け付けるオーダリングシステム８とを有している。管理システム２は、サーバ管理装置５とクライアント管理装置４とを備えたクライアント／サーバ型システムであり、図に示す例では、１台のサーバ管理装置５と複数台（３台）のクライアント管理装置４とが通信回線７を介してデータ通信可能に接続されている。
【００２７】
各クライアント管理装置４には、複数の分析装置３が接続されている。例えば、血球分析装置、血液凝固測定装置、生化学分析装置、免疫分析装置、尿中成分分析装置（尿分析装置）等の様々な種類の分析装置３がクライアント管理装置４に接続される。そして、あるクライアント管理装置４には、血液を検体とする検査を行うための複数の分析装置３が接続され、あるクライアント管理装置４には、尿を検体とする検査を行うための複数の分析装置３が接続される、というように、１つのクライアント装置４に、同一の検体を用いる複数の分析装置３を接続することができる。
【００２８】
また、クライアント管理装置４には、検体を収容する検体容器１０（図９参照）に貼付される採取ラベル１２を印刷するラベルプリンタ（印刷装置）６が接続されている。なお、このラベルプリンタ６は、クライアント管理装置４に限らず、検体情報システム１内のネットワークに接続されていればよい。
【００２９】
管理システム２は、病院のオーダリングシステム８と通信回線７を介して接続されている。医師は、患者に検査が必要であると判断すると、このオーダリングシステム８の端末に検査依頼（検査オーダ）を入力する。入力された検査オーダは、オーダリングシステム８のホストコンピュータ９に登録される。ホストコンピュータ９は、登録された検査オーダを管理システム２に送信し、サーバ管理装置５が検査オーダを受け付ける。クライアント管理装置４は、サーバ管理装置５に対して検査オーダを問い合わせ、サーバ管理装置５から受信した検査オーダに基づいて分析装置３に検査を実行させる。サーバ管理装置５は、分析装置３により得られた分析結果をクライアント管理装置４から受け取り、所定の形式に整えてオーダリングシステム８のホストコンピュータ９に登録することにより医師等に報告する。
【００３０】
〔サーバ管理装置のハードウェア構成〕
図２は、サーバ管理装置のハードウェア構成を示す図である。サーバ管理装置５は、制御部５ａと、タッチパネル式の表示部５ｂと、入力デバイス５ｃとを含むコンピュータ５０１によって構成されている。制御部５ａは、主としてＣＰＵ５０１ａと、ＲＯＭ５０１ｂ、ＲＡＭ５０１ｃ及びハードディスク５０１ｄ等からなる記憶装置と、読出装置５０１ｅと、入出力インタフェース５０１ｆと、通信インタフェース５０１ｇと、画像出力インタフェース５０１ｈとから構成され、これらは、バス５０１ｉによって接続されている。
【００３１】
ハードディスク５０１ｄは、オペレーティングシステム及びアプリケーションプログラム等、ＣＰＵ４０１ａに実行させるための種々のコンピュータプログラム及びそのコンピュータプログラムの実行に用いるデータがインストールされている。本実施の形態では、検査情報の管理や分析装置３の管理に用いるアプリケーションプログラム５０４ａがこのハードディスク５０１ｄにインストールされている。また、ハードディスク５０１ｄには、検査項目についての設定情報等の各種データが記憶されている。
【００３２】
なお、ハードディスク５０１ｄには、検査項目についての設定情報として図８に示されるような情報が記憶されている。具体的には、検査情報システム１を導入した医療機関等において実施可能な全ての検査項目について、「項目コード」「項目名」「部門」「検体種別」「容器の種類」「子項目情報」が相互に対応付けられた状態で記憶されている。「子項目情報」は、該当する検査項目が、親子関係をもつ下位階層の項目を有している場合に設定されるものであり、例えば、親項目としての「ＣＢＣ」（全血算）は、子項目として、「ＷＢＣ」「ＲＢＣ」「ＨＧＢ」等を有しており、親項目としての「尿定性」は、子項目として「色調」「混濁」「ＰＨ」等を有している。
【００３３】
図２に示されるように、画像出力インタフェース５０１ｈには、ＬＣＤ又はＣＲＴ等の表示部５ｂが接続され、入出力インタフェース５０１ｆには、キーボード、マウス、タッチパネル等の入力デバイス５ｃが接続されている。
通信インタフェース５０１ｇは、例えば、Ｅｔｈｅｒｎｅｔ（登録商標）インタフェースであり、コンピュータ５０１は、その通信インタフェース５０１ｇによって、ＴＣＰ／ＩＰプロトコル等の所定の通信プロトコルを使用して他のコンピュータ（クライアント管理装置４やホストコンピュータ９）との間でデータの送受信が可能である。
【００３４】
なお、クライアント管理装置４は、サーバ管理装置５と同様のコンピュータから構成されるため、詳細な説明は省略するが、クライアント管理装置４の入出力インタフェースには、ラベルプリンタ６や複数の分析装置３が接続される。また、クライアント管理装置４のハードディスクには、以下に説明するようなサーバ管理装置の機能構成を実現するためのアプリケーションプログラムがインストールされ、サーバ管理装置と略同様の機能を発揮することが可能である。
【００３５】
〔サーバ管理装置の機能構成〕
図３は、サーバ管理装置の機能構成を示す図である。サーバ管理装置５は、制御部５ａのＣＰＵ５０１ａがハードディスク５０１ｄにインストールされたアプリケーションプログラム５０４ａを実行することによって、図３に示す機能を発揮する。
具体的に、サーバ管理装置５は、検査オーダをオーダリングシステム８（図１参照）から取得したり、検査オーダの登録を直接受け付けるオーダ取得部（オーダ受付部）５１と、取得した検査オーダに対する検査項目の追加等の修正を受け付けるオーダ修正受付部５２とを有する。また、サーバ管理装置５は、表示部５ｂの画面（図４参照）に表示される検査項目の表示形式の選択を受け付ける選択受付部５３と、この選択受付部５３によって受け付けられた表示形式で検査項目を表示部５ｂに表示させる表示制御部５４と、を有している。オーダ修正受付部５２や選択受付部５３としての機能は、図４に示される表示部５ｂの画面１００を介して実行される。
【００３６】
〔表示部における表示画面の構成〕
図４に示される画面１００は、オーダリングシステム８のホストコンピュータ９から取得した検査オーダを表示するとともに、この検査オーダに対する検査項目の追加や修正を可能にするオーダ登録画面である。このオーダ登録画面１００は、患者に関する情報を表示するための患者属性情報表示領域１１０、医師から依頼された検査オーダを表示する検査項目表示領域１２０、検査項目の追加や修正を行うための検査項目入力領域１３０、及びその他の表示領域を含む。
【００３７】
患者属性情報表示領域１１０には、患者ＩＤ，氏名、生年月日等の患者個人を特定するための情報等が表示される。検査項目表示領域１２０には、患者属性情報表示領域１１０で特定された患者に対して医師から依頼された検査項目や検査技師等によって新たに追加された検査項目等、検査が実施される全ての検査項目が表示される。検査項目入力領域１３０には、検体情報システム１に備わった分析装置３によって実施可能な全ての検査項目が、内容の追加や修正が可能なように表示されている。
【００３８】
具体的に、図４に示されている検査項目入力領域１３０には、検査項目コード（０１０１．００等の（４桁．２桁）の数字）と検査項目名（ＡＬＰ、ＡＳＴ等）とが記載された複数のボタン１３１が縦横に整列して表示されている。また、検査項目入力領域１３０の右端には、「生化学」「血液・凝固」「尿・便」「免疫・他」「外部委託」等の検査の種類が表示された複数のタブ１３２が設けられており、選択されたタブ１３２に属する全ての検査項目が測定項目入力領域１３０に表示されている。
【００３９】
また、検査項目入力領域１３０においては、検査依頼がなされていない検査項目のボタン１３１の背景色が例えば白色に表示され、検査依頼がなされている検査項目のボタン１３１の背景色が例えば黄色に表示される。また、検査依頼がなされている検査項目のうち、至急の検査が必要な検査項目については、検査項目コードや検査項目名の文字色が他のボタンの文字色（例えば、黒色）とは異なった、目立つ色（例えば、赤色）で表示される。したがって、この検査項目入力領域１３０には、全ての検査項目が表示されるが、ボタン１３１の背景色や文字色等によって依頼の状況が一目で把握できるように構成されている。
【００４０】
この検査項目入力領域１３０を使用して検査項目の追加や修正を行うには、ユーザがマウス等の入力デバイス５ｃを用いて追加・修正しようとする検査項目のボタン１３１をクリック（選択）すればよい。例えば、検査項目を新たに追加する場合は、該当する検査項目のボタン１３１を１回クリックすることによって、当該検査項目に対する依頼を追加することができる。依頼を追加すると、ボタン１３１の背景色が白色から黄色に変化し、依頼が追加されたことを視覚的に認識することができる。さらに、当該ボタン１３１をもう一回クリックすると、検査項目名等の文字色が赤色となり、当該検査項目を「至急」の依頼にすることができる。また、「至急」の状態からさらにボタン１３１をもう一回クリックすると、再びボタン１３１の背景色が白色に変化し、当該検査項目を依頼無しの状態に戻すことができる。以降、ボタン１３１をクリックする度に「依頼有り」→「至急」→「依頼無し」の順で検査項目の依頼状況を入力することができる。
【００４１】
また、既に「依頼」されている検査項目を修正する場合は、該当する検査項目のボタン１３１をクリックすることによって、当該ボタン１３１の文字色が黒色から赤色となり、当該検査項目を「至急」の依頼に修正することができる。また、当該ボタン１３１をもう一回クリックすることによって、検査項目名等の文字に取消線が付加され、依頼を取り消すことができる。さらに、当該ボタン１３１をもう一回することによって、通常の「依頼」の状態に戻すことができる。以降、ボタンをクリックする度に、「至急」→「依頼取消」→「依頼有り」の順で当該検査項目の依頼状況を修正することができる。
【００４２】
なお、検査項目入力領域１３０を使用した依頼内容の追加・修正は、上記の方法に限られず、他の方法で行ってもよく、本実施の形態では、依頼内容の追加・修正のために他の方法の選択が可能とされている。具体的には、検査項目入力領域１３０の上部に設けられた「属性」「伝票」「参照入力」「コード入力」のタブ１３３を切り替えることによって、依頼内容の追加・修正の方法を選択することが可能となっている。上述した方法は「伝票」タブ１３３を選択したときの依頼内容の追加・修正の方法であり、例えば「コード入力」タブ１３３を選択したときには、検査技師等のユーザが直接、検査項目に対応するコードを入力することによって検査項目の追加や修正を行うことが可能となっている。
【００４３】
ホストコンピュータ８に登録された検査オーダに含まれる検査項目や、上述の検査項目入力領域１３０から追加・修正された検査項目のうち、患者属性情報表示領域１１０で特定された患者の検体に対する検査項目は、全て検査項目表示領域１２０に表示される。そして、本実施の形態の検査項目表示領域１２０は、複数の検査項目を複数の表示形式で表示することができ、ユーザは複数の表示形式のなかからいずれかの表示形式を選択することが可能となっている。
【００４４】
具体的に、本実施の形態では、検査項目表示領域１２０の上部には、「全項目」「検査部門」「バーコード」の３つのタブ１２１ａ〜１２１ｃが表示されており、この３つのタブ１２１ａ〜１２１ｃをマウス等の入力デバイス５ｃにより選択することで、３つの表示形式に切り替えて検査項目表示領域１２０に表示することができる。
【００４５】
図４に示される検査項目表示領域１２０には、「全項目」タブ１２１ａを選択した場合の表示形式（以下、「第１の表示形式」ともいう）で検査項目が表示されている。この「全項目」タブ１２１ａによって表示される第１の表示形式は、依頼されている検査項目を一覧で列挙して表示するものである。
【００４６】
具体的に、検査項目表示領域１２０には、「０１０２．００  ＡＳＴ」というように検査項目コードと検査項目名とが１セットで並べて表示されている。また、親子関係を有する項目同士は、ツリー構造（階層構造）で表示されている。例えば、親項目としての「ＣＢＣ」の下位には、子項目としての「ＷＢＣ」「ＲＢＣ」「ＨＧＢ」等が枝分かれするかたちで表示されている。
【００４７】
このように検査が実施される全ての検査項目が一覧で表示されていると、例えば、医師から依頼された検査オーダの内容と、実際に装置に入力された検査項目とを照らし合わせてチェックする作業を容易に行うことができ、入力状況の把握や入力漏れの防止に役立てることができる。
【００４８】
図５に示される検査項目表示領域１２０には、「検査部門」タブ１２１ｂを選択した場合の表示形式（以下、「第２の表示形式」ともいう）で検査項目が表示されている。この「検査部門」は、検査の種類や病院内の組織的な編成を基準として区分けされた分類とされる。図５に示される例では、「生化学」「血液」「凝固」「尿」「免疫」の５つの検査部門に分類して検査項目が表示されている。また、第２の表示形式においては、各検査部門を親として、下位に属する検査項目がツリー構造（階層構造）で表示されている。また、検査項目が子項目を有している場合には、その検査項目を親として子項目がツリー構造で表示される。ここで、生化学検査部門とは、血清中の総蛋白量や臓器機能の指標である酵素活性等を測定する検査を行う検査部門をいう。血液検査部門とは、全血中の赤血球数・白血球数・血小板数やヘモグロビン濃度等の検査を行う検査部門をいう。凝固検査部門とは、血漿に対して凝固機能の検査を行う検査部門をいう。尿検査部門とは、尿に対して、蛋白質、糖、赤血球の有無を判定する尿定性検査や、赤血球、白血球、上皮細胞、円柱、細菌を測定する尿沈渣検査を行う検査部門をいう。免疫検査部門とは、血清を用いてＢ型肝炎、Ｃ型肝炎、腫瘍マーカおよび甲状腺ホルモン等の項目の検査を行う検査部門をいう。
【００４９】
「検査部門」タブ１２１ｂを選択して表示される第２の表示形式においては、ユーザは、検査を実施する検査項目がどの検査部門に属しているのかを一目で把握することが可能である。そのため、ユーザは、例えば依頼内容を追加・修正した場合等に、どの検査部門に対してその旨を連絡したらよいかを即座に認識することができる。したがって、第２の表示形式は、検査部門別に検査室が分かれているような比較的大規模な施設において特に有用である。
【００５０】
図６に示される検査項目表示領域１２０には、「バーコード」タブ１２１ｃを選択した場合の表示形式（以下、「第３の表示形式」ともいう）で検査項目が表示されている。この「バーコード」とは、図９に示されるように、患者から採取した検体を収容する検体容器１０に付与された識別情報（識別番号）であり、採取ラベル１２に印刷された状態で検体容器１０に貼付されている。検査に使用される検体容器１０の本数や検体容器１０内に採取される検体の量は、医師等がホストコンピュータ９に登録した検査オーダや検査技師等がサーバ管理装置５等から追加・修正した検査項目に基づいて自動的に設定され、併せて各検体容器１０に貼付される採取ラベル１２がラベルプリンタ６によって印刷される。
【００５１】
採取ラベル１２には、検体番号を識別するためのバーコード１１に加え、検体番号受付日、受付Ｎｏ、患者ＩＤ、患者氏名、検体容器の名称、検査項目等の属性情報（いずれも図示略）が印刷される。採血室等では、採取ラベル１２を貼り付けた検体容器１０に患者から採取した検体が収容され、検体収容済みの各検体容器は、検査が実施される検査室に搬送されて分析装置３にセットされる。
【００５２】
図６に示されるように、第３の表示形式においては、検体容器に付された識別番号を基準にして複数の検査項目が分類表示されており、検体容器１０に貼付されたバーコード１１を表す番号と、その検体容器１０に収容された検体について実施される検査項目とがツリー構造で表示されている。例えば、親項目としてのバーコード番号「１０２００１０１」の検体容器１０の下位には、子項目としての「ＡＳＴ」「ＡＬＴ」「ＡＬＢ」等の検査項目が表示されている。また、検査項目が子項目を有している場合には、その検査項目を親として子項目がツリー構造で表示される。
【００５３】
この「バーコード」タブ１２１ｃを選択して表示される第３の表示形式によって、ユーザは、各検体容器１０がどの検査項目で使用されるかを一目で把握することができる。したがって、ある分析装置３で検査を行った後、次に検体容器１０をどの分析装置３にセットすればよいかを容易に認識ことができる。また、第３の表示形式によって、ユーザは、検査に必要な検体容器１０の本数をすぐに確認することができる。そのため、ユーザは、全ての検体容器１０が検査室に届いているか否かを容易かつ迅速に判断することが可能となる。
【００５４】
なお、図６において、バーコード番号に隣接する括弧書きの表示は、検体の種別と、検体容器１０に装着されるキャップの色である。したがって、ユーザは、バーコード番号だけでなく、検体容器１０に装着されたキャップの色で収容されている検体の種別を正確に把握することができる。
【００５５】
図４〜図６に示す検査項目表示領域１２０における各検査項目の表示は、検査項目入力領域１３０と同様に、依頼の状況を視覚的に認識できるように構成されている。具体的に、検査項目が「至急」に設定されている場合、検査項目表示領域１２０における検査項目の文字色が、他の検査項目の文字色（例えば、黒色）とは異なった、目立つ色（例えば、赤色）で表示され、取り消された検査項目には、検査項目の文字に取消線が付加されるようになっている。
【００５６】
また、本実施の形態では、検査項目表示領域１２０においても検査項目の依頼状況の修正が可能となっている。具体的には、修正しようとする検査項目を選択してマウスで右クリックすると、図７に示されるようなポップアップウィンドウ（修正操作画面）１４０が画面に表示され、このポップアップウィンドウ１４０に表示された項目を選択することによって、検査項目の依頼状況を修正することができる。
【００５７】
また、図７に示されるポップウィンドウ１４０に表示された項目のうち、「至急」は、その検査項目が通常の依頼に設定されている場合にのみ選択することができ、「至急取消」は、その検査項目が「至急」に設定されている場合にのみ選択することができる。「再依頼」は、その検査項目が一旦取り消されて削除された場合にのみ選択することができる。
【００５８】
なお、以上に説明したオーダ登録画面１００の表示や検査項目の追加・修正の処理は、サーバ管理装置５だけでなくクライアント管理装置４においても実行することが可能である。
【００５９】
次に、図１０を参照して、上述したような検査項目の追加・修正作業や検査項目の表示形式の選択処理を含むサーバ管理装置５の処理手順について説明する。
まず、医師からの検査オーダは、オーダリングシステム９におけるホストコンピュータ９に登録された状態にあり、サーバ管理装置５の制御部５ａは、ステップＳ１において、検査オーダをホストコンピュータ９から受信したか否か（受け付けたか否か）を判断する。制御部５ａは、検査オーダを受信したと判断した場合には、ステップＳ２に処理を進め、受信しなかったと判断した場合には、ステップＳ３に処理を進める。そして、ステップＳ２において、制御部５ａは、受信した検査オーダをハードディスク５０１ｄ等の記憶装置に記憶する処理を行う。
【００６０】
次いで、ステップＳ３において、制御部５ａは、サーバ管理装置５の表示部５ｂにオーダ登録画面１００（図４参照）が表示されているかを判断し、表示されていると判断した場合には、ステップＳ６に処理を進め、表示されていないと判断した場合にはステップＳ４に処理を進める。ステップＳ４において、制御部５ａは、オーダ登録画面１００の表示指示を受け付けたか否かを判断し、受け付けたと判断した場合には処理をステップＳ５に進めて表示部５ｂにオーダ登録画面１００を表示する。制御部５ａは、オーダ登録画面１００の表示指示を受け付けいないと判断した場合はステップＳ７に処理を進める。
【００６１】
ステップＳ６において、制御部５ａは、以下に説明する画面操作処理を実行する。
図１１は、画面操作処理の手順を示すフローチャートである。制御部５ａは、ステップＳ６０１において、新規に患者ＩＤの入力があったか否かを判断し、入力があったと判断した場合には処理をステップＳ６０２に進め、入力がなかったと判断した場合には処理をステップＳ６０３に進める。患者ＩＤの入力は、オーダ登録画面１００の「属性」タブ１３３が選択された際に検査項目入力領域１３０に表示される画面で行うことができる。
【００６２】
ステップＳ６０２において、制御部５ａは、表示部５ｂに対して患者ＩＤに対応する情報の表示をオーダ登録画面１００に表示する。
次いで、ステップＳ６０３において、制御部５ａは、患者ＩＤの変更があったか否かを判断し、変更があったと判断した場合にはステップＳ６０２に処理を戻し、変更がなかったと判断した場合にはステップＳ６０４に処理を進める。
【００６３】
ステップＳ６０４において、制御部５ａは、検査項目表示領域１２０（図４参照）において「検査部門」タブ１２１ｂが選択されたか否かを判断し、選択されたと判断した場合には、ステップＳ６０５において検査項目表示領域１２０に検査部門別に（検査部門の種類を基準として）複数の検査項目を分類表示し（図５参照）、ステップＳ６１０に処理を進める。
「検査部門」タブが選択されなかったと判断した場合には、制御部５ａは、ステップＳ６０６において、「バーコード」タブ１２１ｃが選択されたか否かを判断する。「バーコード」タブ１２１ｃが選択されたと判断した場合には、ステップＳ６０７において、制御部５ａは、表示部５ｂに表示された検査項目表示領域１２０にバーコード別に（バーコード番号を基準として）複数の検査項目を分類表示し（図６参照）、ステップＳ６１０に処理を進める。
【００６４】
ステップＳ６０６において、制御部５ａは、「バーコード」タブ１２１ｃが選択されなかったと判断した場合、ステップＳ６０８において、「全項目」タブ１２１ａが選択されたか否かを判断する。制御部５ａは、「全項目」タブ１２１ａが選択されたと判断した場合には、表示部５ｂに表示された検査項目表示領域１２０に全項目の表示形式（図４参照）で検査項目を表示してステップＳ６１０に処理を進め、選択されなかったと判断した場合にもステップＳ６１０に処理を進める。
【００６５】
ステップＳ６１０において、制御部５ａは、検査項目入力領域１３０（図４参照）を介して検査項目の追加の入力があったか否かを判断する。検査項目の追加の入力があったと判断した場合、制御部５ａは、追加された検査項目を記憶装置に記憶する処理を行うとともに、表示部５ｂに表示されている検査項目入力領域１３０及び検査項目表示領域１２０に検査項目の追加を反映した表示を行い（ステップＳ６１１）、ステップＳ６１２に処理を進める。制御部５ａは、検査項目の追加の入力がなかったと判断した場合にも、ステップＳ６１２に処理を進める。
【００６６】
次いで、ステップＳ６１２において、制御部５ａは、検査項目入力領域１３０や検査項目表示領域１２０を介して検査項目の削除の指示があったか否かを判断する。制御部５ａは、検査項目の削除の指示があったと判断した場合、当該検査項目を記憶装置から削除する処理を行うとともに、表示部５ｂに表示されている検査項目入力領域１３０及び検査項目表示領域１２０に対して検査項目の削除を反映した表示、すなわち取消線の表示を行い（ステップＳ６１３）、ステップＳ６１４に処理を進める。制御部５ａは、検査項目の削除の指示がなかったと判断した場合にも、ステップＳ６１４に処理を進める。
【００６７】
次いで、ステップＳ６１４において、制御部５ａは、検査項目入力領域１３０や検査項目表示領域１２０を介して検査項目を「至急」に設定する指示があったか否かを判断する。制御部５ａは、検査項目を至急に設定する指示があったと判断した場合、表示部５ｂに表示されている検査項目入力領域１３０及び検査項目表示領域１２０に対して至急の設定を反映する表示、すなわち当該検査項目のコード及び名称の文字色を変更する処理を行い（ステップＳ６１５）、ステップＳ６１６に処理を進める。制御部５ａは、至急に設定する指示がなかったと判断した場合にも、ステップＳ６１６に処理を進める。
【００６８】
次いで、ステップＳ６１６において、制御部５ａは、オーダ登録画面１００の表示終了指示を受け付けたか否かを判断する。制御部５ａは、オーダ登録画面１００の表示終了指示を受け付けたと判断した場合、表示部５ｂに表示されているオーダ登録画面１００を閉じて処理をリターンし、オーダ登録画面１００の表示終了指示を受け付けなかったと判断した場合にはそのまま処理をリターンする。
【００６９】
分析装置３は、検査を開始するときに図９に示される検体容器１０に貼付されたバーコード１１を読み取り、この分析装置３が接続されたクライアント管理装置４は、そのバーコード１１が貼付された検体容器１０についての検査オーダの問い合わせをサーバ管理装置５に対して行う。
サーバ管理装置５の制御部５ａは、図１０のステップＳ７において、クライアント管理装置４からの検査オーダの問い合わせを受信したか否かを判断する。制御部５ａは、検査オーダの問い合わせを受信したと判断した場合、ステップＳ８において検査オーダをクライアント管理装置４に送信したあとステップＳ９に処理を進め、検査オーダの問い合わせを受信しなかったと判断した場合にも、ステップＳ９に処理を進める。
【００７０】
ステップＳ９において、サーバ管理装置５の制御部５ａは、クライアント管理装置４から検査結果を受信したか否かを判断する。制御部５ａは、検査結果を受信したと判断した場合、ステップＳ１０において当該検査結果を記憶装置に記憶する処理を行ったのち、ステップＳ１１に処理を進め、検査結果を受信しなかったと判断した場合にも、ステップＳ１１に処理を進める。
【００７１】
ステップＳ１１において、制御部５ａは、シャットダウン指示を受け付けたか否かを判断し、シャットダウン指示を受け付けたと判断した場合には、サーバ管理装置５のシャットダウンを実行し、シャットダウン指示を受け付けなかったと判断した場合には、ステップＳ１に処理を戻し、ステップＳ１〜ステップＳ１１の処理を繰り返す。
【００７２】
以上、説明したように本実施の形態の検査情報システム１では、サーバ管理装置５の表示部５ｂに表示される検査項目表示領域１２０に、特定の患者の検査オーダに含まれる複数の検査項目をユーザに選択された基準で分類表示することができるので、ユーザが行う種々の検査業務、例えば、検査項目の追加・修正、検体容器の本数の確認、検査室への検体容器の到着状況の確認等を円滑に行うことができる。そのため、検査業務の熟練度に関わらず、どのようなユーザであっても円滑な検査業務の遂行が可能となる。
【００７３】
また、本実施の形態の検査情報システム１では、サーバ管理装置５の表示部５ｂに検査項目表示領域１２０と検査項目入力領域１３０とが同時に表示されている。そのため、既に依頼が入力されて検査項目表示領域１２０に表示されている検査項目を確認しながら、新たな検査項目の追加や既に入力された検査項目の修正を行うことができ、検査項目の追加・修正作業の操作性、正確性を高めることができる。
【００７４】
また、検査項目表示領域１２０には、複数の表示形式が切り替えて表示されるので、各表示形式を同時に一つの画面に表示する場合に比べて検査項目表示領域１２０の表示面積を抑制することができ、表示部５ｂにおける表示画面を他の情報の表示にも有効に活用することができる。
また、ユーザは、検査項目表示領域１２０のタブ１２１ａ〜１２１ｃを選択することによって複数の表示形式を容易に切り替えることができる。
【００７５】
本発明は、上述した実施の形態に限定されるものではなく、特許請求の範囲に記載された発明の範囲内において適宜変更することが可能である。
例えば、表示部５ｂに表示されたオーダ登録画面１００（図４参照）における検査項目表示領域１２０の表示形式は、「全項目」「検査部門」「バーコード」の３種類とされているが、２種類又は４種類以上とされていてもよい。例えば、これらの３種類に加えて又はその一部に代えて、「分析装置」の表示形式を設けてもよく、生化学分析装置、血球分析装置、血液凝固測定装置、尿分析装置、免疫分析装置等の分析装置の種類を基準として、実施される検査項目をツリー構造で分類して表示してもよい。また、「検体種別」の表示形式を設けてもよく、「全血」「血清」「血漿」「尿」等の検体種別を基準として、実施される検査項目をツリー構造で分類して表示してもよい。
【００７６】
また、検査項目表示領域１２０における表示形式の切り替えは、タブ１２１ａ〜１２１ｃの選択による方法に限定されるものではなく、画面上に別途設けられた切り替えボタンをクリックしたり、キーボードを利用して表示を切り替えたりする方法を採用することもできる。
上記実施の形態において、図５に示されるような検査項目表示領域１２０における「検査部門」毎の表示形式（第２の表示形式）では、「生化学」「血液」「凝固」「尿」「免疫」の５種類の検査部門に分類されているが、これらに限定されるものではない。また、「生化学・免疫」といったように、同一の検体を使用する検査をまとめて一つの検査部門に分類してもよい。また、各検査部門の呼称についても限定されるものではなく、検査情報システム１を導入した医療機関等に応じた呼称とすることができる。
【００７７】
また、「検査部門」は、検査の種類によって分類されたものに限らず、例えば、病院内の組織編成に応じて分類された部門であってもよい。また、各検査部門に属する分析装置は１台であってもよいし複数台であってもよい。
【００７８】
上記実施の形態において、検査情報システム１は、ホストコンピュータ９を有するオーダリングシステム８を含んでいるが、これを含まない構成であってもよい。この場合、サーバ管理装置５は、オーダ取得部（オーダ受付部）５１（図３参照）の機能により、医師等から依頼された検査オーダの登録（入力）を直接受け付けることができる。
また、上記実施の形態では、サーバ管理装置５とクライアント管理装置４との両方が、オーダ登録画面１００の表示や検査項目の追加・修正の機能を備えているが、一方のみが当該機能を備えていてもよい。
【符号の説明】
【００７９】
１    検査情報システム
３    分析装置
４    クライアント管理装置
５    サーバ管理装置
５ｂ    表示部
１０    検体容器
１１    バーコード（識別情報）
５１    オーダ取得部（オーダ受付部）
５３    選択受付部
５４    表示制御部
１００    オーダ登録画面
１２０    検査項目表示領域
１３０    検査項目入力領域
【図１】
0005476240.tif 000002
【図２】
0005476240.tif 000003
【図３】
0005476240.tif 000004
【図４】
0005476240.tif 000005
【図５】
0005476240.tif 000006
【図６】
0005476240.tif 000007
【図７】
0005476240.tif 000008
【図８】
0005476240.tif 000009
【図９】
0005476240.tif 000010
【図１０】
0005476240.tif 000011
【図１１】
0005476240.tif 000012